(57)【特許請求の範囲】
【請求項１】
スラブ上に設けられた防水層の上に、所定の箇所に溝形成部が形成されるようにして保護コンクリートが打設され、溝形成部の底部に仕上げモルタルまたはコンクリートが打設されて構築される排水溝構造体であって、
前記防水層の上に形成される溝形成部では、前記保護コンクリートと一体となって前記溝形成部の両側壁を形成するとともに前記保護コンクリートが前記溝形成部内に入り込むのを阻止する打ち込み型枠材がそれぞれ配置され、前記打ち込み型枠材の下部には、前記打ち込み型枠材を支持する支持部と、支持部から前記保護コンクリート側に折曲し所定の空間を空けて前記溝形成部側へ折り返して形成されたアンカー形成凸部と、折り返し片によって形成された前記防水層に固定する底板部とを有する型枠固定部材が配置されており、
前記打ち込み型枠材と型枠固定部材で形成される前記溝形成部の底部に打設された前記仕上げモルタルまたはコンクリートは、型枠固定部材のアンカー形成凸部の内部空間に入り前記保護コンクリートに食い込んでいることを特徴とするスラブ上に構築される排水溝構造体。
【発明の詳細な説明】
【技術分野】
【０００１】
本発明は、建築物の屋上や地下室の床等を構成するスラブ上に構築される排水溝構造体と、この排水溝構造体の構築で使用される打ち込み型枠材を支える型枠固定部材に関するものである。
【背景技術】
【０００２】
従来、建築物の屋上や地下室の床等を構成するスラブ上に構築される排水溝構造体にあっては、図７に示すように、スラブ１上に設けられた防水層２の上の所定の箇所に、図示しないが溝幅に対応する間隔を空けて２枚のコンクリートパネル等の型枠を対向させて配置し、２枚の型枠の外側に保護コンクリート４を打設し、保護コンクリート４が固化したら型枠を解体撤去して溝形成部３を形成し、この溝形成部３の底部に仕上げモルタル５を打設することにより排水溝構造体Ａが構築されている（例えば、特許文献１参照。）。
【先行技術文献】
【特許文献】
【０００３】
【特許文献１】特開平１０−３１７６１０号公報
【発明の概要】
【発明が解決しようとする課題】
【０００４】
上記の構造を有する排水溝構造体Ａは、経年により排水溝構造体Ａの壁を形成する保護コンクリート４と底部の仕上げモルタル５のそれぞれの膨張収縮の繰り返しにより、保護コンクリート４と仕上げモルタル５との界面が剥離し、保護コンクリート４と仕上げモルタル５の間に隙間Ｓができ、また、仕上げモルタル５にもひび割れが入るといった状態が見られた。
このような状態になると、図７に示すように、雨水イが保護コンクリート４と仕上げモルタル５との界面の隙間Ｓや仕上げモルタル５のひび割れに浸入して仕上げモルタル５と防水層２の界面に回り込み、仕上げモルタル５を持ち上げることによる仕上げモルタル５の浮き上がり現象を見ることになり、美観を悪くするといった問題が生じた。また、前記隙間Ｓやひび割れに埃や土砂等が堆積し、植物が生育するといった問題が生じた。そして、一般に、仕上げモルタル５の厚さが薄いため、隙間Ｓやひび割れに生育した植物の根が伸長した場合、根が仕上げモルタル５を超えて防水層２を貫通してしまうことがあり、これが漏水事故につながるといった問題が生じた。
【０００５】
このような問題は、雨水が保護コンクリート４と仕上げモルタル５との界面の隙間Ｓや仕上げモルタル５のひび割れにに浸入による仕上げモルタル５の浮き上がりを原因とするものであり、仕上げモルタル５の浮き上がりを防止することにより解消することができる。
本発明者は、研究の結果、排水溝構造体の底部の仕上げモルタルの浮き上がりを防止することを見出し本発明を完成した。
【０００６】
本発明の目的は、排水溝構造体の底部の仕上げモルタルの浮き上がりを容易に且つ確実に防止できるスラブ上に構築される排水溝構造体を提供することにある。
【課題を解決するための手段】
【０００８】
上記の目的を達成するために、請求項１に記載の発明は、スラブ上に設けられた防水層の上に、所定の箇所に溝形成部が形成されるようにして保護コンクリートが打設され、溝形成部の底部に仕上げモルタルまたはコンクリートが打設されて構築される排水溝構造体であって、前記防水層の上に形成される溝形成部では、前記保護コンクリートと一体となって前記溝形成部の両側壁を形成するとともに前記保護コンクリートが前記溝形成部内に入り込むのを阻止する打ち込み型枠材がそれぞれ配置され、前記打ち込み型枠材の下部には、前記打ち込み型枠材を支持する支持部と、支持部から前記保護コンクリート側に折曲し所定の空間を空けて前記溝形成部側へ折り返して形成されたアンカー形成凸部と、折り返し片によって形成された前記防水層に固定する底板部とを有する型枠固定部材が配置されており、前記打ち込み型枠材と型枠固定部材で形成される前記溝形成部の底部に打設された前記仕上げモルタルまたはコンクリートは、型枠固定部材のアンカー形成凸部の内部空間に入り前記保護コンクリートに食い込んでいることを特徴とする。
【発明の効果】
【００１１】
請求項１に記載のスラブ上に構築される排水溝構造体によれば、前記防水層の上に形成される溝形成部では、前記保護コンクリートと一体となって前記溝形成部の両側壁を形成するとともに前記保護コンクリートが前記溝形成部内に入り込むのを阻止する打ち込み型枠材がそれぞれ配置され、前記打ち込み型枠材の下部には、前記打ち込み型枠材を支持する支持部と、支持部から前記各保護コンクリート側に折曲し所定の空間を空けて前記溝形成部側へ折り返して形成されたアンカー形成凸部と、折り返し片によって形成された前記防水層に固定する底板部とを有する型枠固定部材が配置されているので、前記溝形成部の底部に打設された前記仕上げモルタルまたはコンクリートがアンカー形成凸部の内部空間に入り前記保護コンクリートに食い込んだ排水溝構造体を容易に形成することができる。
また、前記打ち込み型枠材と型枠固定部材で形成される前記溝形成部の底部に打設されたの前記仕上げモルタルまたはコンクリートは、型枠固定部材のアンカー形成凸部の内部空間に入り前記保護コンクリートに食い込んでいるので、前記仕上げモルタルまたはコンクリートの前記保護コンクリートに食い込んでいる食い込み部分がアンカーとなって、前記打ち込み型枠材及び型枠固定部材と仕上げモルタルまたはコンクリートとの間できた隙間から雨水が浸入して前記仕上げモルタルまたはコンクリートと前記防水層の界面に回り込んでも、前記仕上げモルタルまたはコンクリートの浮き上がりを防止することができる。
また、前記打ち込み型枠材や型枠固定部材と仕上げモルタルまたはコンクリートとの隙間に埃や土砂等が堆積し、植物の生育があった場合でも、前記仕上げモルタルまたはコンクリートが型枠固定部材のアンカー形成凸部に入り前記保護コンクリートに食い込んでいる食い込み部分の存在により、前記型枠固定部材と前記仕上げモルタルまたはコンクリートとの隙間が長くなるので、植物の根が伸長した場合でも、伸長した根が前記防水層に達するのを阻止でき、植物の根が防水層を貫通ことによる漏水事故を防止することができる。
【図面の簡単な説明】
【００１３】
【図１】本発明に係るスラブ上に構築される排水溝構造体の実施の形態の第１例を示す断面図である。
【図２】図１に示した排水溝構造体を構築する一例を示す説明図である。
【図３】本発明に係るスラブ上に構築される排水溝構造体の実施の形態の第２例を示す断面図である。
【図４】本発明に係る型枠固定部材の実施の形態の一例を示す斜視図である。
【図５】図４に示した型枠固定部材に打ち込み型枠材を支持させた状態を示す断面図である。
【図６】図４に示した打ち込み型枠材の一部拡大断面図である。
【図７】従来のスラブ上に構築される排水溝構造体を示す断面図である。
【発明を実施するための形態】
【００１４】
以下、本発明に係るスラブ上に構築される排水溝構造体及び排水溝構造体の構築に使用する型枠固定部材の実施の形態を、図面に示す実施例を参照して詳細に説明する。
先ず、図１、図２によりスラブ上に構築される排水溝構造体の実施の形態の第１例を説明する
図１は本例のスラブ上に構築される排水溝構造体の断面図、図２は図１に示した排水溝構造体を構築する一例を示す説明図である。
【００１５】
本例の排水溝構造体Ａは、図１に示すように、スラブ１上に設けられた防水層２の上に、所定の箇所に溝形成部３が形成されるようにして保護コンクリート４が打設され、溝形成部３の底部に仕上げモルタルまたはコンクリート５が打設されて構築されている。そして、前記溝形成部３の底部に打設された仕上げモルタルまたはコンクリート５は両側の保護コンクリート４に食い込んでいる。
【００１６】
仕上げモルタルまたはコンクリート５の食い込み量にあっては、防水層２に向かう保護コンクリート４と仕上げモルタルまたはコンクリート５との界面の長さが、保護コンクリート４と仕上げモルタルまたはコンクリート５との隙間に堆積した土砂に生育した植物の根が伸長した場合でも、伸長した根が防水層に届かない長さとなる量であることが好ましい。
【００１７】
このような排水溝構造体Ａの構築にあっては、例えば、図２に示すように、下端に長手方向に沿って突出する突出部６ａを設けたコンクリートパネル等の型枠６を用意して、突出部６ａが外側に向くように２枚の型枠６をスラブ１上に設けられた防水層２の上に対向させて配置し、２枚の型枠６の外側に保護コンクリート４を打設し、保護コンクリート４が固化したら型枠６を解体撤去して溝形成部３を形成する。形成された溝形成部３の両壁を形成する保護コンクリート４には、型枠６の突出部６ａで形成された凹部４ａが存在している。この溝形成部３の底部に仕上げモルタルまたはコンクリート５を打設することにより、仕上げモルタルまたはコンクリート５が保護コンクリート４の凹部４ａに入り込むことにより、保護コンクリート４に仕上げモルタルまたはコンクリート５が食い込んだ排水溝構造体Ａが構築される。
【００１８】
このように構成された本例の排水溝構造体Ａによれば、溝形成部３の底部に打設された仕上げモルタルまたはコンクリート５は両側の保護コンクリート４に食い込んでいるので、仕上げモルタルまたはコンクリート５の保護コンクリート４に食い込んでいる食い込み部分５ａがアンカーとなって、保護コンクリート４と仕上げモルタルまたはコンクリート５との隙間から雨水が浸入して仕上げモルタルまたはコンクリート５と防水層２の界面に回り込んでも、仕上げモルタルまたはコンクリート５の浮き上がりを防止する。
また、保護コンクリートと仕上げモルタルまたはコンクリートとの隙間に埃や土砂等が堆積し、植物の生育があった場合でも、仕上げモルタルまたはコンクリートの保護コンクリートに食い込んでいる部分の存在により、保護コンクリートと仕上げモルタルまたはコンクリートとの隙間が長くなるので、植物の根が伸長した場合でも、伸長した根が前記防水層に達するのを阻止でき、植物の根が防水層を貫通ことによる漏水事故を防止することができる。
【００１９】
次ぎに、図３によりスラブ上に構築される排水溝構造体の実施の形態の第２例を説明し、併せて図４乃至図６により排水溝構造体の構築に使用する型枠固定部材の実施の形態の一例を説明する。
図３は第２例のスラブ上に構築される排水溝構造体の断面図、図４は型枠固定部材の実施の形態の一例を示す斜視図、図５は図４に示した型枠固定部材に打ち込み型枠材を支持させた状態を示す断面図、図６は図４に示した打ち込み型枠材の一部拡大断面図である。
【００２０】
本例の排水溝構造体Ａは、図３に示すように、スラブ１上に設けられた防水層２の上に、所定の箇所に溝形成部３が形成されるようにして保護コンクリート４が打設され、溝形成部３の底部に仕上げモルタルまたはコンクリート５が打設されて構築されている。
【００２１】
防水層２の上に形成される溝形成部３では、保護コンクリート４と一体となって溝形成部３の両側壁を形成するとともに保護コンクリート４が溝形成部３内に入り込むのを阻止する打ち込み型枠材７がそれぞれ配置されている。打ち込み型枠材７の材質にあっては、樹脂発泡体、窯業系パネル、樹脂板等が挙げられる。また、打ち込み型枠材７の保護コンクリート４と接する面には、保護コンクリート４が食い込む食い込み溝８がそれぞれ形成されている。
【００２２】
打ち込み型枠材７の下部には、打ち込み型枠材７を支持する支持部９と、支持部９から保護コンクリート４側に折曲し所定の空間を空けて溝形成部３側へ折り返して形成されたアンカー形成凸部１０と、折り返し片によって形成された防水層２に固定する底板部１１と、底板部１１の先端に仕上げモルタルまたはコンクリート５に食い込む立ち上がり部１２を有する図４に示す型枠固定部材１３が配置されている。
打ち込み型枠材７と型枠固定部材１３で形成される溝形成部３の底部に打設された仕上げモルタルまたはコンクリート５は、型枠固定部材１３のアンカー形成凸部１０の内部空間１０ａに入り保護コンクリート５に食い込んでいる。
【００２３】
次ぎに、本例の排水溝構造体Ａで使用されている型枠固定部材１３について、詳細に説明する。
本例の型枠固定部材１３は、打ち込み型枠材７を防水層２の上に固定するものであって、板材からなり、断面形状で、上側に打ち込み型枠材７を支持する支持部９が形成され、支持部９は対向する２つ支持片９ａ，９ｂで構成され、支持片９ａ，９ｂの間に打ち込み型枠材７が挿入されて支持されるようになっている。そして、支持部９から保護コンクリート４側に折曲し所定の空間を空けて溝形成部３側へ折り返してアンカー形成凸部１０が形成され、そして、折り返し片が防水層２に接着固定される底板部１１となっており、この底板部１１の先端には、仕上げモルタルまたはコンクリート５に食い込む立ち上がり部１２が形成されている。
【００２４】
アンカー形成凸部１０の形状にあっては、特に限定されるものではないが、打ち込み型枠材７と型枠固定部材１３で形成される溝形成部３の底部に仕上げモルタルまたはコンクリート５を打設したとき、仕上げモルタルまたはコンクリート５が型枠固定部材１３のアンカー形成凸部１０に入り易く且つ空気溜まりが生じない形状であることが好ましい。
また、アンカー形成凸部１０の保護コンクリート４側への突出量にあっては、防水層２に向かう打ち込み型枠材７及び型枠固定部材１３と仕上げモルタルまたはコンクリート５との界面の長さが、打ち込み型枠材７や型枠固定部材１３と仕上げモルタルまたはコンクリート５との隙間に堆積した土砂に生育した植物の根が伸長した場合でも、伸長した根が防水層に届かない長さとなる量であることが好ましい。
【００２５】
このように構成された型枠固定部材１３は、打ち込み型枠材７と同様に打ち込まれるものであって、その材質にあっては、打ち込み型枠材７を支持し防水層２の上に固定できる強度が得られるものであれば特に限定されないが、本例では、硬質塩化ビニルが使用され、押し出し成形により製造される。
【００２６】
このような排水溝構造体Ａの構築にあっては、まず、スラブ１上に設けられた防水層２の上に、型枠固定部材１３を、アンカー形成凸部１０が外側を向くようにして対向させて配置し、底板部１１を接着剤で防水層２に接着固定する。そして、防水層２に固定した型枠固定部材１３の支持部９に打ち込み型枠材７を、食い込み溝８が外側を向くようにして挿入して支持させる。
【００２７】
このようにして型枠固定部材１３を介して打ち込み型枠材７を防水層２に固定したら、型枠固定部材１３で支持された打ち込み型枠材７の外側に保護コンクリート４を打設して溝形成部３を形成し、溝形成部３の底部に仕上げモルタルまたはコンクリート５を打設する。溝形成部３の底部への仕上げモルタルまたはコンクリート５の打設は、保護コンクリート４の打設と同時に行ってもよく、また保護コンクリート４の打設した後に行ってもよい。溝形成部３の底部に打設した仕上げモルタルまたはコンクリート５は、型枠固定部材１３のアンカー形成凸部１０の内部空間１０ａに入りこみ、仕上げモルタルまたはコンクリート５が保護コンクリート４に食い込んだ排水溝構造体Ａが構築される。
【００２８】
このようにして構築された排水溝構造体Ａは、仕上げモルタルまたはコンクリート５が型枠固定部材１３のアンカー形成凸部１０の内部空間１０ａに入り保護コンクリート４に食い込んでいるので、この食い込んでいる食い込み部分５ａがアンカーとなって、打ち込み型枠材７及び型枠固定部材１３と仕上げモルタルまたはコンクリート５との間できた隙間から雨水が浸入して仕上げモルタルまたはコンクリート５と防水層２の界面に回り込んでも、仕上げモルタルまたはコンクリート５の浮き上がり現象を防止することができる。
【００２９】
また、打ち込み型枠材７や型枠固定部材１３と仕上げモルタルまたはコンクリート５との隙間に埃や土砂等が堆積し、植物の生育があった場合でも、仕上げモルタルまたはコンクリート５が型枠固定部材１３のアンカー形成凸部１０の内部空間１０ａに入り保護コンクリートに食い込んでいる食い込み部分５ａの存在により、型枠固定部材１３と仕上げモルタルまたはコンクリート５との隙間が長くなるので、植物の根が伸長した場合でも、伸長した根が防水層２に達するのを阻止でき、植物の根が防水層を貫通ことによる漏水事故を防止することができる。
【００３０】
本例では、型枠固定部材１３の底板部１１の先端に、仕上げモルタルまたはコンクリート５に食い込む立ち上がり部１２が形成されているので、構築された排水溝構造体における型枠固定部材１３と仕上げモルタルまたはコンクリート５との隙間がさらに長くなり、植物の根が伸長して防水層２に根が達するのを阻止でき、漏水事故をより一層効果的に防止することができる。
【００３１】
また、本例では、打ち込み型枠材７の保護コンクリート４と接する面に、保護コンクリート４が食い込む食い込み溝８が形成されているので、打ち込み型枠材７と保護コンクリート４との剥離が防止され一体性を維持することができる。
【符号の説明】
【００３２】
Ａ  排水溝構造体
１  スラブ
２  防水層
３  溝形成部
４  保護コンクリート
４ａ  凹部
５  仕上げモルタルまたはコンクリート
５ａ  食い込み部
６  型枠
６ａ  突出部
７  打ち込み型枠材
８  食い込み溝
９  支持部
９ａ、９ｂ  支持片
１０  アンカー形成凸部
１０ａ  内部空間
１１  底板部
１２  立ち上がり部
１３  型枠固定部材
【図１】
0006008586.tif 000002
【図２】
0006008586.tif 000003
【図３】
0006008586.tif 000004
【図４】
0006008586.tif 000005
【図５】
0006008586.tif 000006
【図６】
0006008586.tif 000007
【図７】
0006008586.tif 000008